(57)【要約】      （修正有）【課題】導引パーツおよび係合パーツを有するオス端とメス端を含み、取り付け容易性と接続安定性を達成するコネクタを提供する。【解決手段】回路板と接続するコネクタ１０であって、コネクタはメス端２０及びオス端３０を含む。メス端の第一導引パーツ２２４とオス端の第二導引パーツ３２２との結合を通じ、オス端とメス端が夾角を呈し、夾角の角度を減少させることで、オス端がメス端に強固に固定されるまで、メス端の第一係合パーツ２２６とオス端の第二係合パーツ３２４との係合、及びメス端の第三係合パーツ２２８とオス端の第四係合パーツ３２８との係合が順番に行われる。【選択図】図１
0003226009.tif 000002
【実用新案登録請求の範囲】
【請求項１】
回路板と接続するコネクタであり、メス端及びオス端を含み、
前記メス端が、第一端子を結合する第一本体を提供し、前記第一本体の両端が延伸して擁壁部を備え、前記第一本体が第一導引パーツ、第一係合パーツ及び第三係合パーツを形成し、前記第一導引パーツが前記第一本体と前記擁壁部との交差点に形成され、前記第一係合パーツが前記第一本体に形成され、前記第三係合パーツが前記擁壁部に形成され、
前記オス端が、第二端子を結合する第二本体を提供し、前記第二本体の両端が延伸して弾性部を備え、前記第二本体が第二導引パーツ、第二係合パーツ及び第四係合パーツを形成し、前記第二導引パーツが前記第二本体と前記弾性部との交差点に形成され、前記第二係合パーツが前記第二本体に形成され、前記第四係合パーツが前記弾性部に形成され、
前記第一導引パーツと前記第二導引パーツが結合する時、前記オス端と前記メス端が夾角を呈し、前記夾角の角度を減少させることで、前記弾性部が前記擁壁部と係合するまで、前記第一係合パーツと前記第二係合パーツとの係合、及び前記第三係合パーツと前記第四係合パーツとの係合が順番に行われることを特徴とするコネクタ。
【請求項２】
前記第一導引パーツが円柱体であり前記第二導引パーツが円形凹槽であるか、または第一導引パーツが円形凹槽であり前記第二導引パーツが円柱体であり、そのうち前記第一導引パーツが前記第二導引パーツに対応して設置されることを特徴とする請求項１に記載のコネクタ。
【請求項３】
前記第一導引パーツの数量が前記第二導引パーツの数量と同様であり、前記第一導引パーツの数量と前記第二導引パーツの数量が二個より少なくないことを特徴とする請求項２に記載のコネクタ。
【請求項４】
前記第一係合パーツが前記第一本体に形成される開口であり、前記第二係合パーツが前記第二本体に形成される第一凸塊であるか、または前記第一係合パーツが前記第一本体に形成される第一凸塊であり、前記第二係合パーツが前記第二本体に形成される開口であり、そのうち前記開口が前記第一凸塊に対応して設置されることを特徴とする請求項１に記載のコネクタ。
【請求項５】
前記第一係合パーツの数量が前記第二係合パーツの数量と同様であり、前記第一係合パーツの数量と前記第二係合パーツの数量が二個より少なくないことを特徴とする請求項４に記載のコネクタ。
【請求項６】
前記第三係合パーツが前記擁壁部に形成される擁塊であり、前記第四係合パーツが前記弾性部に形成される第二凸塊であり、前記擁塊が前記第二凸塊に対応して設置されることを特徴とする請求項１に記載のコネクタ。
【請求項７】
前記第三係合パーツの数量が前記第四係合パーツの数量と同様であり、前記第三係合パーツの数量と前記第四係合パーツの数量が二個より少なくないことを特徴とする請求項６に記載のコネクタ。
【請求項８】
前記擁塊が第一斜面を有し、前記第二凸塊が第二斜面を有し、前記第三係合パーツと前記第四係合パーツが係合を行う過程において、前記第二斜面が前記第一斜面に沿って、前記第二斜面が前記第一斜面を離脱するまで移動することで、前記弾性部が前記擁壁部と係合することを特徴とする請求項６に記載のコネクタ。
【請求項９】
前記オス端が前記メス端に挿入される夾角の範囲が、２５度乃至６０度の間であることを特徴とする請求項１に記載のコネクタ。
【請求項１０】
前記メス端が更に固定パーツを含み、前記固定パーツが前記第一本体の両端に設置されることで、前記メス端を前記回路板に固定させることを特徴とする請求項１に記載のコネクタ。
【考案の詳細な説明】
【技術分野】
【０００１】
本考案はコネクタの技術分野に属し、特に、導引及び係合を通じた接続を行うコネクタである。
【背景技術】
【０００２】
従来より、組立の空間が狭いといった状況に鑑み、コネクタの寸法を縮小することが求められてきた。しかし、コネクタの組立を縮小化する過程で、脱落または端子の損壊といった問題が起こってきた。
【０００３】
これに鑑み、本考案は、従来のコネクタが抱える問題を克服できるコネクタを提供する。
【考案の概要】
【考案が解決しようとする課題】
【０００４】
本考案の第一の目的は、導引パーツおよび係合パーツを有するオス端とメス端を提供することで、取り付け容易性と接続安定性の目的を達成することである。
【０００５】
本考案の二つ目の目的は、オス端とメス端が導引パーツを通じて、オス端の係合パーツとメス端の係合パーツとを容易な位置合わせの下係合することができる事である。
【０００６】
本考案の第三の目的は、オス端がメス端に挿入されることで夾角を呈し、夾角の角度を減少させることで、オス端の係合パーツとメス端の係合パーツとを係合させることである。
【課題を解決するための手段】
【０００７】
上述の目的及びその他の目的を達成するため、本考案は回路板と接続するコネクタを提供する。前記コネクタはメス端及びオス端を含む。メス端は、第一端子を結合する第一本体を提供する。又、第一本体の両端は延伸して擁壁部を備える。第一本体は第一導引パーツ、第一係合パーツ及び第三係合パーツを形成する。第一導引パーツは第一本体と擁壁部との交差点に形成される。第一係合パーツは第一本体に形成され、第三係合パーツは擁壁部に形成される。オス端は、第二端子を結合する第二本体を提供する。第二本体の両端は延伸して弾性部を備える。第二本体は第二導引パーツ、第二係合パーツ及び第四係合パーツを形成する。第二導引パーツは第二本体と弾性部との交差点に形成される。第二係合パーツは第二本体に形成され、第四係合パーツは弾性部に形成される。そのうち、第一導引パーツと第二導引パーツが結合する時、オス端とメス端が夾角を呈し、夾角の角度を減少させることで、弾性部が擁壁部と係合するまで、第一係合パーツと第二係合パーツとの係合、及び第三係合パーツと第四係合パーツとの係合が順番に行われる。
【０００８】
周知の技術と比較して、本考案により提供されるコネクタは、オス端部とメス端部の組立の過程において容易な取り付けが可能であり、同時に、オス端部とメス端部との間に外力が加えられることで接続状態が離脱することを防止できる。本考案では、オス端が一角度により斜め向きでメス端に挿入される。
【図面の簡単な説明】
【０００９】
【図１】本考案の第一実施例におけるコネクタの構造図である。
【図２】本考案の図１におけるコネクタの結合を示す図である。
【図３】本考案の図１における導引パーツ及び係合パーツの結合を示す図である。
【考案を実施するための形態】
【００１０】
本考案の目的、特徴及び効果についての理解に資するために、以下に述べる具体的な実施例を通じて、並びに付属の図面と合わせて、本考案の詳細な説明をする。
【００１１】
本考案の要素の個数は、特に記載がない場合を除き、一つまたは少なくとも一つであり、且つ複数である場合を含むことを理解されたい。
【００１２】
本考案における「含む」や「備える」またそれらに類似する用語は、排他的ではない包括物を網羅することを意味する。例えば、複数の要素を含むユニットや構造、製品、装置は、本文に記載される要素に限らず、明確な記載がないが当該ユニットや構造、製品、装置が通常有しうる他の要素を包括することも出来る。これ以外に、特に記載がない場合を除き、本文中の「または」という用語は包括的意味合いとして用いられ、排他的意味合いを具備しない。
【００１３】
図１、即ち本考案の第一実施例におけるコネクタの構造図を参照する。図１において、コネクタ１０は回路板との接続に用いられる。
【００１４】
コネクタ１０はメス端２０及びオス端３０を含む。図１において、メス端２０は上側に、オス端３０は下側に示される。
【００１５】
図１上側の図面において、メス端２０は第一本体２２を提供し、且つ第一本体２２は開口を開設することで第一端子２４を取り付ける。ここではメス端２０を長方体として説明するが、他の実施例においてメス端２０はその他形体とすることができる。第一本体２２の両端それぞれは延伸して擁壁部２２２を備える。第一本体２２は第一係合パーツ２２４、第一導引パーツ２２６及び第三係合パーツ２２８を形成する。第一係合パーツ２２４は第一本体２２と擁壁部２２２との交差点に形成される。第一導引パーツ２２６は第一本体２２に形成され、第三係合パーツ２２８は擁壁部２２２に形成される。
【００１６】
図１下側の図面において、オス端３０は第二本体３２を提供し、且つ第二本体３２は開口を開設することで第二端子３４を取り付ける。ここではオス端３０を長方体として説明するが、他の実施例においてオス端３０はその他形体とすることができる。第二本体３２の両端は延伸して弾性部３２６を備える。第二本体３２は第二導引パーツ３２２、第二係合パーツ３２４及び第四係合パーツ３２８を形成する。
【００１７】
第二導引パーツ３２２は第二本体３２と弾性部３２６との交差点に形成される。第二係合パーツ３２４は第二本体３２に形成され、第四係合パーツ３２８は弾性部３２６に形成される。そのうち、第一導引パーツ２２６と第二導引パーツ３２２が結合する時、オス端３０とメス端２０が夾角(夾角の範囲は例えば２５度乃至６０度の間となる)を呈し、これは図２の上側の図面を合わせて参照することで確認できる。更に、夾角の角度を減少させることで、弾性部３２６が擁壁部２２２と係合するまで、第一係合パーツ２２４と第二係合パーツ３２４との係合、及び第三係合パーツ２２８と第四係合パーツ３２８との係合が順番に行われ、これは図２の下側の図面を合わせて参照することで確認できる。
【００１８】
ここでは、第一導引パーツ２２６は円柱体であり、第二導引パーツ３２２は円形凹槽である。円形凹槽の寸法は円柱体を容置するために用いることができ、且つ第一導引パーツ２２６の数量は、第二導引パーツ３２２の数量と同様に二個であり、並びに第一導引パーツ２２６は対称的に第一本体２２と擁壁部２２２との間に形成され、第二導引パーツ３２２は対称的に第二本体３２の両側に形成される。他の実施例において、第一導引パーツ２２６を円形凹槽とすることで、第二導引パーツ３２２を円柱体に変更することもできる。そのうち、第一導引パーツ２２６は第二導引パーツ３２２に対応して設置される。
【００１９】
ここでは、第一係合パーツ２２４が第一本体２２に形成される開口であり、第二係合パーツ３２４は第二本体に形成される第一凸塊であり、且つ第一係合パーツ２２４は第二係合パーツ３２４の数量と同様に二個であり、並びに第一係合パーツ２２４は対称的に第一本体２２に形成され、第二係合パーツ３２４は対称的に第二本体３２に形成される。その他の実施例において、第一係合パーツ２２４を第一凸塊とすることで、第二係合パーツ３２４を開口に変更することもできる。そのうち、開口は第一凸塊に対応して設置される。
【００２０】
ここでは、第三係合パーツ２２８は擁壁部２２２に形成される擁塊であり、第四係合パーツ３２８は弾性部３２６に形成される第二凸塊であり、且つ第三係合パーツ２２８の数量は第四係合パーツ３２８の数量と同様に二個であり、並びに第三係合パーツ２２８は対称的に擁壁部２２２に形成され、第四係合パーツ３２８は対称的に第二本体３２に形成される。他の実施例において、第三係合パーツ２２８を擁壁部２２２に形成される第二凸塊とし、そして第四係合パーツ３２８を弾性部３２６に形成される擁塊とすることもできる。そのうち、擁塊は第二凸塊に対応して設置される。注意をされたいのは、図３の中央の図面を合わせて参照して理解できるように、擁塊(即ち第三係合パーツ２２８)は第一斜面２２６２を有し、第二凸塊(即ち第四係合パーツ３２８)は第二斜面３２８２を有し、即ち第三係合パーツ２２８と第四係合パーツ３２８が係合を行う過程において、弾性部３２６が圧迫を受けることで変形することで、第二斜面３２８２が第一斜面２２６２に沿って、第二斜面３２８２が第一斜面２２６２を離脱するまで移動し、これにより弾性部３２６の圧迫を受けたことによる変形が解除され、弾性部３２６が擁壁部２２２と係合する。
【００２１】
例を挙げれば、図２の上側の図面を合わせて参照することで確認できるように、オス端３０は某角度によりメス端２０に挿入されることで、第一導入パーツ２２６と第二導引パーツ３２２を結合させ、これらは両者が円柱体及び円形凹槽を採用することで達成される。よって円柱体が円形凹槽と結合した後、オス端３０がメス端２０に基づき回転運動し、その結合方式は図３の上側の図面を合わせて参照し確認できる。続いて、オス端３０がメス端２０に挿入された後、オス端３０とメス端２０の夾角を変化させる(例えば夾角の角度を減少させる)ことで、オス端３０はメス端２０の接地方向と徐々に平行になる、即ち下向き回転を行う。オス端３０とメス端２０の夾角が某角度まで減少する時、第二係合パーツ３２４と第一係合パーツ２２４とが先に係合、即ち第二係合パーツ３２４が第一係合パーツ２２４に挿入され、これは図３の下側の図面を合わせて参照することで確認できる。また、オス端３０とメス端２０の夾角が更に０度付近または０度まで減少する時、弾性部３２６が擁壁部２２２に滑入することで、弾性部３２６が弾力を回復し、第二凸塊が擁塊に係合され、これは図３の中央の図面を合わせて参照して確認できる。最後にオス端３０はメス端２０により位置制限され、これは図２の下側の図面を合わせて参照して確認できる。
【００２２】
以上に本考案の好ましい実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００２３】
１０      コネクタ
２０      メス端
２２      第一本体
２２２    擁壁部
２２４    第一導引パーツ
２２６    第一係合パーツ
２２６２  第一斜面
２２８    第三係合パーツ
２４      第一端子
３０      オス端
３２      第二本体
３２２    第二導引パーツ
３２４    第二係合パーツ
３２６    弾性部
３２８    第四係合パーツ
３２８２  第二斜面
３４      第二端子
【図１】
0003226009.tif 000003
【図２】
0003226009.tif 000004
【図３】
0003226009.tif 000005